【事件の表示】
　特願２０１５−　　２９２７「コンテンツベースのソーシャルネットワーキングシステム及び方法」拒絶査定不服審判事件〔平成２７年　７月２７日出願公開、特開２０１５−１３５６７５、請求項の数（１６）〕について、次のとおり審決する。
【結　論】
　原査定を取り消す。
　本願の発明は、特許すべきものとする。
【理　由】
第１　手続の経緯
  　
　本願は、２０１０年３月３０日（パリ条約による優先権主張　２００９年３月３０日、米国）を国際出願日とする特願２０１２−５０３６２９号の一部を平成２７年１月９日に新たな特許出願としたものであって、平成２８年３月９日付けで拒絶理由通知がなされ、同年６月１４日付けで手続補正がなされたが、同年１１月２２日付けで拒絶査定（原査定）がなされ、これに対し、平成２９年２月２７日に拒絶査定不服審判の請求がなされると同時に手続補正がなされたものである。
   　
第２　原査定の概要
　
　　原査定（平成２８年１１月２２日付け拒絶査定）の概要は次のとおりである。
  　
　請求項１，４，７−１０，１１，１４，１７，１８に係る発明は、引用文献２，３に記載された発明に基づいて、当業者が容易に想到し得たものであるから、特許法第２９条第２項の規定により特許を受けることができない。
  　
＜引用文献等一覧＞
１．（略）
２．特開２００７−１６６１８９号公報
３．国際公開第２００９／０１８５６２号
   　
第３　審判請求時の補正について
　審判請求時の補正は、特許法第１７条の２第３項から第６項までの要件に違反しているものとはいえない。
　なお、審判請求時の補正は、次の補正をするものである。
１．補正前の請求項１を、当該請求項を引用していた補正前の請求項２に係る構成で限定し、補正前の請求項２を削除する補正。
２．補正前の請求項４を独立記載形式に変更し、補正後の請求項３とする補正。
３．補正前の請求項３、５−１０の項番を繰上げ、補正後の請求項２、４−９とする補正。
４．補正前の請求項１１を、当該請求項を引用していた補正前の請求項１２に係る構成で限定して補正後の請求項１０とし、補正前の請求項１２を削除する補正。
５．補正前の請求項１３を独立記載形式に変更し、補正後の請求項１１とする補正。
６．補正前の請求項１４−１８の項番を繰上げ、補正後の請求項１２−１６とし、補正後の請求項１２の引用請求項を請求項１１とする補正。
７．補正後の請求項７−１０、１５、１６において、「前記」の記載を追加する補正。
　そして、「第４　本願発明」から「第６　対比・判断」までに示すように、補正後の請求項１−１６に係る発明は、独立特許要件を満たすものである。
  　
第４　本願発明
　本願請求項１−１６に係る発明（以下、それぞれ「本願発明１」−「本願発明１６」という。）は、平成２９年２月２７日の手続補正で補正された特許請求の範囲の請求項１−１６に記載された事項により特定される発明である。
　ここで、原査定は、補正前の請求項２、３、５，６、１２、１３、１５、１６に係る発明を拒絶理由の対象としていないことから、補正後の本願発明１−１６について、次のことがいえる。
　本願発明１は、補正前の請求項２に係る発明に相当するが、原査定は、当該発明を拒絶理由の対象としていない。
　本願発明２、６、７は、当該本願発明１に係る構成を全て含むものとなったから、原査定の拒絶理由を維持できない。
  本願発明４、５は補正前の請求項５、６に係る発明にそれぞれ相当し、原査定は、当該発明を拒絶理由の対象としていない。
　本願発明１０は、補正前の請求項１２に係る発明に相当するが、原査定は、当該発明を拒絶理由の対象としていない。
　本願発明１５は、当該本願発明１０に係る構成を全て含むことから、当該拒絶理由を維持できない。
　本願発明１１は補正前の請求項１３に係る発明に相当し、原査定は、当該発明について拒絶理由の対象としていない。
　本願発明１２〜１４、１６は、当該本願発明１１に係る構成を全て含むことから、当該拒絶理由を維持できない。
　したがって、拒絶の理由を有さないとされた発明を除いた、本願発明３、８、９についての進歩性を検討する。
　そして、本願発明３は以下のとおりの発明である。
  　
＜本願発明３＞
「【請求項３】
　ネットワーキングユニットと、１件又はそれ以上のデジタルコンテンツを記憶しているコンテンツ記憶部と、システムのそれぞれのユーザー毎の前記デジタルコンテンツのライブラリと、を有しているコンピュータと、
　前記コンピュータにリンク上で接続することができる１つ又はそれ以上のモバイルハンドセットであって、それぞれのモバイルハンドセットは、デジタルコンテンツを利用するためのユニットと、利用している前記デジタルコンテンツの識別子を前記コンピュータに連絡するためのユニットと、を有している、モバイルハンドセットと、を備えており、
　前記ネットワーキングユニットは、前記利用しているデジタルコンテンツが前記コンテンツ記憶部に記憶されているかどうかを判定するコンテンツ識別ユニットと、前記利用しているデジタルコンテンツに係るサービスを、当該利用しているデジタルコンテンツに基づく１つ又はそれ以上の異なったモバイルハンドセット向けに提供するネットワークユニットと、を更に備えており、
　前記コンピュータは、或る地理的区域内にいる前記システムのユーザーを確定する地理ユニットを更に備えており、前記ネットワークユニットは、前記利用しているデジタルコンテンツに係るサービスを、前記地理的区域内の、当該利用しているデジタルコンテンツに基づく１つ又はそれ以上の異なったモバイルハンドセット向けに提供する、システム。」
   　
第５　引用文献、引用発明等
  　
１．引用文献２について
     　
　原査定の拒絶の理由に引用された上記引用文献２（特開２００７−１６６１８９号公報）には、図面とともに次の事項が記載されている（下線は、当審において付与した。）。
   　
ア．「【０００１】
　本発明は、
複数の携帯通信機間でメッセージの送受信を行うメッセージ送受信システム
   　
イ．「【００１３】
・・・（中略）・・・
　図１に示すように、
メッセージ送受信システムは、複数の携帯電話機１００Ａ〜１００Ｄ、複数のＧＰＳ衛星２００Ａ〜２００Ｂ、移動体通信用の基地局３００、及び基地局３００とネットワークを介して接続されているＤＧＰＳ（Differential GPS）サーバ４００を含んで構成されている
   　
ウ．「【００２４】
・・・（中略）・・・
（２．データ）
　ここで、ＤＧＰＳサーバ４００が記憶部４０３に記憶するリストについて、図４を参照しながら、説明する。
【００２５】
　図４に示すように、ＤＧＰＳサーバ４００は、記憶部４０３に、位置情報の算出を行った携帯電話機１００について、各携帯電話機を識別するためのＩＰアドレスと算出した位置情報（緯度及び経度）をリスト化して記憶する。
　ＤＧＰＳサーバ４００は、
携帯電話機１００からＩＰアドレスとともにＧＰＳ受信部１０５で測定した時間情報を受信する
ドレスとを対応付けてリストを更新していく。
（３．動作）
　次に、本実施形態のメッセージ送受信システム上における、携帯電話機１００の動作について、図５〜９を参照しながら説明する。
【００２６】
　ここでは、ユーザ０〜３が、それぞれ携帯電話機１００Ａ〜１００Ｄを所持しているものとし、ユーザ０がユーザ２にメッセージを送信して話しかける例を挙げて説明する。
　図５を参照すると、まず、
ユーザ０が携帯電話機１００Ａの操作部１０８から所定の操作を行い、見知らぬユーザ間で位置情報を表示し合うモード（以下、「位置情報表示モード」と呼ぶ）に設定すると、携帯電話機１００Ａはこの操作を受付け、ＧＰＳ受信部１０５で複数のＧＰＳ衛星２００から電波を受信するとともに、受信に要した時間に関する時間情報と記憶部１０９に記憶している自機の識別情報とを含むリクエストをＤＧＰＳサーバ４００に送信する（ステップＳ１０１）
位置情報表示モードの開始通知である。
【００２７】
　
ＤＧＰＳサーバ４００は、受信した時間情報に基づいて、位置情報計算部４０２により位置を算出し、算出した結果と携帯電話機１００Ａとを対応付けて記憶部４０３内のリストに登録する（ステップＳ１０２）
　ここで、
ユーザ２の携帯電話機１００Ｃについても同様に、事前に位置情報表示モードの開始通知をしていたものとする（ステップＳ１００）
その他、携帯電話機１００Ｂ及び１００Ｄについても、特には図示しないが、位置情報表示モードの開始通知を完了しているものとする。
【００２８】
　
ステップＳ１０２の結果、ＤＧＰＳサーバ４００の記憶部４０３内のリストは更新され、図４に示すように、ユーザ０〜３それぞれのＩＰアドレス及び位置情報（緯度及び経度）が登録された状態となる
　続いて、
ＤＧＰＳサーバ４００は、リスト内の、同じ基地局３００に属する全ユーザ（ユーザ０〜３）に対し、全ユーザのＩＰアドレス及び位置情報を送信する（ステップＳ１０３及び１０４）。このとき、記憶部４０３に記憶している地図上に位置をプロットして送信する。
【００２９】
　
ユーザ０〜３のＩＰアドレス及び位置情報を受信すると、携帯電話機１００Ａと１００Ｃともに、ＩＰアドレス及び位置情報とを対応付けて記憶部１０９に記憶するとともに、地図上にプロットされたユーザ０〜３の位置を表示部１０７に表示する（ステップＳ１０５及び１０６）
【００３０】
　ここで、
ユーザ０が
、操作部１０８を操作してユーザ２を選択すると（ステップＳ１０７）
携帯電話機１００Ａは、ユーザ２へメッセージを送信することの確認画面を表示部１０７に表示する。
　
ユーザ０が図７に示す確認画面から、「はい」６０１を選択すると、携帯電話機１００Ａはメッセージの作成を受付け、ユーザが操作部１０８を介して入力した文字をメッセージとして記憶部１０９に一時的に記憶することで、メッセージの作成を行う（ステップＳ１０８）。ユーザによる文字入力が完了すると、この携帯電話機１００Ａは、図８に示すように、入力されたメッセージを表示部１０７に表示する。
【００３１】
　なお、ユーザ０が図８に示す画面から「いいえ」６０２を選択すると、メッセージの作成はキャンセルとなる。
  
ユーザ０が図７に示す確認画面から「送信」６０３を選択すると、携帯電話機１００Ａ
は、記憶部１０９から、入力されたメッセージと携帯電話機１００ＣのＩＰアドレスを読み出し、このＩＰアドレスを指定して携帯電話機１００Ｃにメッセージを送信する（ステップＳ１０９）
   　
　前記ア．〜ウ．によれば、引用文献２には次の発明（以下、「引用発明」という。）が記載されている。
   　
＜引用発明＞
「複数の携帯通信機間でメッセージの送受信を行うメッセージ送受信システムにおいて（【０００１】）、
　複数の携帯電話機１００Ａ〜１００Ｄ、複数のＧＰＳ衛星２００Ａ〜２００Ｂ、移動体通信用の基地局３００、及び基地局３００とネットワークを介して接続されているＤＧＰＳ（Differential GPS）サーバ４００を含んで構成され（【００１３】）、
　ユーザ０が携帯電話機１００Ａを操作して、見知らぬユーザ間で位置情報を表示し合う位置情報表示モードに設定すると、携帯電話機１００Ａは、ＧＰＳ受信部１０５で複数のＧＰＳ衛星２００から電波を受信するとともに、受信に要した時間に関する時間情報と記憶部１０９に記憶している自機のＩＰアドレスとを含むリクエストをＤＧＰＳサーバ４００に送信し、これが位置情報表示モードの開始通知となり（ステップＳ１０１、【００２６】【００２５】）、
　ユーザ１〜３の携帯電話機についても同様に、事前に位置情報表示モードの開始通知を完了しており（ステップＳ１００、【００２７】）、
　ＤＧＰＳサーバ４００は、受信した時間情報に基づいて、位置情報計算部４０２により位置を算出し、算出した結果と携帯電話機１００Ａとを対応付けて記憶部４０３内のリストに登録し（ステップＳ１０２、【００２７】）、その結果、ユーザ０〜３それぞれのＩＰアドレス及び位置情報が登録され（【００２８】）、
　ＤＧＰＳサーバ４００は、リスト内の、同じ基地局３００に属する全ユーザ（ユーザ０〜３）に対し、全ユーザのＩＰアドレス及び位置情報を送信し、このとき、記憶部４０３に記憶している地図上に位置をプロットして送信し（ステップＳ１０３及び１０４、【００２８】）、
　携帯電話機は、ユーザ０〜３のＩＰアドレス及び位置情報を受信すると、ＩＰアドレス及び位置情報とを対応付けて記憶部１０９に記憶するとともに、地図上にプロットされたユーザ０〜３の位置を表示部１０７に表示し（ステップＳ１０５及び１０６、【００２９】）。
　ユーザ０が操作部１０８を操作してユーザ２を選択すると、携帯電話機１００Ａは、ユーザ２へメッセージを送信することの確認画面を表示部１０７に表示し（ステップＳ１０７、【００３０】）
　ユーザ０が確認画面から「はい」６０１を選択すると、携帯電話機１００Ａはメッセージの作成を受付け、ユーザが操作部１０８を介して入力した文字をメッセージとして記憶部１０９に一時的に記憶することで、メッセージの作成を行い（ステップＳ１０８、【００３０】）、ユーザによる文字入力が完了すると、入力されたメッセージを表示部１０７に表示し、
　ユーザ０が確認画面から「送信」６０３を選択すると、携帯電話機１００Ａは、記憶部１０９から、入力されたメッセージと携帯電話機１００ＣのＩＰアドレスを読み出し、このＩＰアドレスを指定して携帯電話機１００Ｃにメッセージを送信する（ステップＳ１０９、【００３１】）、メッセージ送受信システム。」
   　
２．引用文献３について
　
　原査定の拒絶の理由に引用された上記引用文献３（国際公開第２００９／０１８５６２号）には、図面とともに次の事項が記載されている（下線は、当審において付与した。）。
　
ア．「The present invention provides 
a system for distributing audio files
digital file
an SB3 file
that is
backward compatible with all current MP3 players
（当審訳：　本発明は、
オーディオファイルを配信するためのシステム
全ての現在のＭＰ３プレーヤと下位互換性があり
標準的ＭＰ３ファイルと同じデータ圧縮及びヘッダフォーマットを使用する以下ＳＢ３ファイル
デジタルファイル
    　
イ．「
The system 700
may include
physical retailers 704,
the system may also include
online retailers 720
　　Finally t
he system includes several users such as Alice, Bob
Each user may have 
one or more cellular phones 726. Each of these devices are networked and incorporate a player that receive digital audio file such as an SB3 and selectively play back its audio data as a sound program
（当審訳：
　
システム７００は
物理的小売業者７０４
オンライン小売業者７２０を含む
　最後に、
システムは、アリス、ボブ、
ような幾人かのユーザを含む
各ユーザは、
及び１つ又はそれよりも多くの携帯電話７２６を有することができる。これらのデバイスの各々は、ネットワーク化されており、ＳＢ３のようなデジタルオーディオファイルを受け取るプレーヤを組込み、音声プログラムの通りにそのオーディオデータを選択的に再生する
    　
ウ．「One value-added service that many consumers desire is the ability to share their content with their friends. Suppose that 
Alice has just purchased a song, and she wants to share it with her friend, Bob
　　As shown in Fig. 5, 
Alice receives an SB3 file 130A
in one of the fields of the header
there is a VACS field 562 constituting value added content and services in the form of one or more links
a purchase link
This field is extracted in step 502
　　
When Alice selects or activates button 374 (step 503), the data field 562 is transmitted to Bob's player as part of an e-mail, IM, blog, widget or other similar electronic means. The field is received in step 504
　　
Once the field 562 is received, Bob is provided with one or more options, for example, on the screen of his player (not shown). One option is for Bob to purchase the song just heard or purchased by Alice. If Bob selects this option (step 508), his player, or other device contacts the  website of the retailer identified by the information from Alice as a purchase link 562A. The link 562A may be a direct or an indirect link. Bob's device then performs the purchase from retailer 704 or 720 and a new file SB3 is sent to Bob. Bob can now play the purchased file anytime on a compliant or legacy player
（当審訳：
　多くの消費者が望む１つの付加価値サービスは、自分のコンテンツを友人と共有する機能である。
アリスが曲を購入し、この曲を彼女の友人のボブと共有したい
  図５に示すように、
アリスは、
ＳＢファイル１３０Ａを受け取る。ヘッダのフィールドの１つ、
購入リンク
のリンクの形式で付加価値コンテンツ及びサービスを構成するＶＡＣＳフィールド５６２が存在する
このフィールドは、段階５０２で抽出される
　
アリスがボタン３７４を選択又はアクティベートすると（段階５０３）、データフィールド５６２は、電子メール、ＩＭ、ブログ、ウィジェット、又は他の類似の電子手段の一部としてボブのプレーヤに送信される。フィールドは、段階５０４で受信される
　
フィールド５６２を受信した状態で、ボブには、１つ又はそれよりも多くのオプションが例えばボブのプレーヤ画面（図示せず）上に提供される。１つのオプションは、ボブがアリスによって試聴又は購入された曲を購入することができることである
ボブがこのオプションを選択した場合（段階５０８）、ボブのプレーヤ又は他のデバイスが、購入リンク５６２Ａとしてアリスからの情報によって識別された小売業者のウェブサイトにコンタクトする。リンク５６２Ａは、直接又は間接リンクとすることができる。次に、ボブのデバイスは、小売業者７０４又は７２０からの購入を実行し、新しいファイルＳＢ３がボブに送信される。ボブは、ここで準拠又はレガシープレーヤにおいていつでも購入したファイルを再生することができる
  　
　前記ア．〜ウ．によれば、引用文献３には次の事項が記載されている。
    　
＜引用文献３の記載事項＞
「アリスが曲を購入し、この曲を彼女の友人のボブと共有する方法において、
　システム７００は、物理的小売業者７０４、オンライン小売業者７２０、アリス、ボブ、のようなユーザを含み、各ユーザの携帯電話は、ネットワーク化されており、ＳＢ３のようなデジタルオーディオファイルを受け取るプレーヤを組込み、そのオーディオデータを選択的に再生し、
　ＳＢ３ファイルは、全ての現在のＭＰ３プレーヤと下位互換性があり、標準的ＭＰ３ファイルと同じデータ圧縮及びヘッダフォーマットを使用するデジタルファイルであり、
　アリスは、ＳＢファイル１３０Ａを受け取り、
　当該ＳＢファイルのヘッダから、購入リンクを構成するデータフィールド５６２を抽出し（段階５０２）、
　アリスがボタン３７４を選択又はアクティベートすると（段階５０３）、データフィールド５６２を、電子メール、ＩＭ、ブログ、ウィジェット、又は他の類似の電子手段の一部として送信し、
　ボブのプレーヤは、当該データフィールドを受信し（段階５０４）、
　データフィールド５６２を受信した状態で、ボブにはオプションがボブのプレーヤ画面上に提供され、１つのオプションは、ボブがアリスによって試聴又は購入された曲を購入することができることであり、
　ボブがこのオプションを選択した場合（段階５０８）、ボブのプレーヤは、購入リンク５６２Ａとして識別された小売業者のウェブサイトにコンタクトし、次に、ボブのプレーヤは、小売業者７０４又は７２０からの購入を実行し、新しいファイルＳＢ３がボブに送信され、ボブはプレーヤにおいて購入したファイルを再生する、方法。」
    　
第６　対比・判断
     　
１．本願発明３について
       　
（１）対比
     　
　本願発明３と引用発明とを対比すると、次のことがいえる。
     　
・引用発明の「ＤＧＰＳ（Differential GPS）サーバ４００」は、本願発明３の「コンピュータ」に相当する。
      　
・引用発明の、ネットワークを介してＤＧＰＳサーバ４００と接続された複数の携帯電話機１００Ａ〜１００Ｄは、本願発明３の「前記コンピュータにリンク上で接続することができる１つ又はそれ以上のモバイルハンドセット」に相当する。
   　
・引用発明のＤＧＰＳサーバ４００は、携帯電話機のＩＰアドレス及び位置情報を登録し、同じ基地局３００に属する携帯電話機に、全ユーザのＩＰアドレス及び位置情報を送信する手段を備えており、この手段は、基地局周辺の地理的区域内にいるユーザーを確定する地理ユニットといえる。
　したがって、引用発明のＤＧＰＳサーバ４００が当該手段を備えることは、本願発明３の「前記コンピュータは、或る地理的区域内にいる前記システムのユーザーを確定する地理ユニットを更に備えており」に相当する。
　
　したがって、本願発明３と引用発明との一致点・相違点は次の通りである。
     　
＜一致点＞
「コンピュータと、
　前記コンピュータにリンク上で接続することができる１つ又はそれ以上のモバイルハンドセットを備えており、
　前記コンピュータは、或る地理的区域内にいる前記システムのユーザーを確定する地理ユニットを備えている、システム。」
　
＜相違点１＞
　コンピュータが、本願発明３では「ネットワーキングユニットと、１件又はそれ以上のデジタルコンテンツを記憶しているコンテンツ記憶部と、システムのそれぞれのユーザー毎の前記デジタルコンテンツのライブラリ」を有しているのに対し、引用発明では、これらの構成を有していない点。
    　
＜相違点２＞
　モバイルハンドセットが、本願発明３では「デジタルコンテンツを利用するためのユニットと、利用している前記デジタルコンテンツの識別子を前記コンピュータに連絡するためのユニット」を有しているのに対し、引用発明では、これらのユニットを有していない点。
　
＜相違点３＞
　本願発明３は「前記ネットワーキングユニットは、前記利用しているデジタルコンテンツが前記コンテンツ記憶部に記憶されているかどうかを判定するコンテンツ識別ユニットと、前記利用しているデジタルコンテンツに係るサービスを、当該利用しているデジタルコンテンツに基づく１つ又はそれ以上の異なったモバイルハンドセット向けに提供するネットワークユニットと、を更に備えており」に係る構成を有するのに対し、引用発明は当該ネットワーキングユニットを有しない点。
   　
＜相違点４＞
　本願発明３は「前記ネットワークユニットは、前記利用しているデジタルコンテンツに係るサービスを、前記地理的区域内の、当該利用しているデジタルコンテンツに基づく１つ又はそれ以上の異なったモバイルハンドセット向けに提供する」に係る構成を有するのに対し、引用発明は、当該ネットワークユニットを有しない点。
　
（２）判断
    　
　次に、上記相違点１〜４について検討する。
　引用文献３に記載された携帯電話は、デジタルコンテンツを利用するプレーヤを有するものの、相違点２に係る「利用している前記デジタルコンテンツの識別子を前記コンピュータに連絡するためのユニット」を有していない。
　また、引用文献３には、デジタルオーディオファイルを販売してボブのプレーヤに送る小売業者のウェブサイトが記載されているものの、当該ウェブサイトのコンピュータが、相違点１に係る「システムのそれぞれのユーザー毎の前記デジタルコンテンツのライブラリ」や、相違点３に係る「前記利用しているデジタルコンテンツが前記コンテンツ記憶部に記憶されているかどうかを判定するコンテンツ識別ユニット」、相違点４に係る「前記利用しているデジタルコンテンツに係るサービスを、前記地理的区域内の、当該利用しているデジタルコンテンツに基づく１つ又はそれ以上の異なったモバイルハンドセット向けに提供する」ネットワークユニットを有することは記載されていない。
　したがって、本願発明３は、当業者であっても引用発明、引用文献３に記載された技術的事項に基づいて容易に発明できたものであるとはいえない。
   　
２．本願発明８、９について
　本願発明８、９も、本願発明３の「利用している前記デジタルコンテンツの識別子を前記コンピュータに連絡するためのユニット」、「システムのそれぞれのユーザー毎の前記デジタルコンテンツのライブラリ」、「前記利用しているデジタルコンテンツが前記コンテンツ記憶部に記憶されているかどうかを判定するコンテンツ識別ユニット」、「前記利用しているデジタルコンテンツに係るサービスを、前記地理的区域内の、当該利用しているデジタルコンテンツに基づく１つ又はそれ以上の異なったモバイルハンドセット向けに提供する」と同一の構成を備えるものであるから、本願発明３と同じ理由により、当業者であっても、引用発明及び引用文献３に記載された技術的事項に基づいて容易に発明できたものとはいえない。
   　
第７　原査定について
    　
　審判請求時の補正により、本願発明３、８、９は「利用している前記デジタルコンテンツの識別子を前記コンピュータに連絡するためのユニット」、「システムのそれぞれのユーザー毎の前記デジタルコンテンツのライブラリ」、「前記利用しているデジタルコンテンツが前記コンテンツ記憶部に記憶されているかどうかを判定するコンテンツ識別ユニット」、「前記利用しているデジタルコンテンツに係るサービスを、前記地理的区域内の、当該利用しているデジタルコンテンツに基づく１つ又はそれ以上の異なったモバイルハンドセット向けに提供する」という事項を有するものとなっており、当業者であっても、拒絶査定において引用された引用文献２，３に基づいて、容易に発明できたものとはいえない。
　また、本願発明１、２、４−７、１０−１６は、拒絶の理由を有さないとされたものである。
　したがって、原査定の理由を維持することはできない。
    　
第８　むすび
    　
　以上のとおり、原査定の理由によっては、本願を拒絶することはできない。
　また、他に本願を拒絶すべき理由を発見しない。
　よって、結論のとおり審決する。